(57)【要約】【課題】本発明は一種の工具不要な薄型ハードディスクドライブ（ＨＤＤ）キャリア装置を提供する。【解決手段】２ラックユニットシャーシ２００は、複数のＨＤＤベイと、複数のベイに対応する複数の連結器４３０を含むバックプレーン４２８とを含み、各ベイは工具不要な薄型キャリア装置３１０を収容するように構成される。工具不要な薄型キャリア装置３１０は、工具不要な薄型キャリア装置３１０の側壁を解放してＨＤＤ２０４を収容するように構成された第１のラッチ部と、内側端部に少なくとも１つの突出部４２２を有するレバー４２４を解放するように構成された第２のラッチと、工具不要な薄型キャリア装置３１０の少なくとも１つの突出部を、工具不要な薄型キャリア装置が挿入される対応するベイの連結器４３０に結合するように構成されたレバー４２４とを含む。【選択図】図３
2017204318.tif 000002
【特許請求の範囲】
【請求項１】
工具不要な薄型ハードディスクドライブキャリア装置であって、
第一側壁と、第二側壁と、第三側壁と、第四側壁と、
前記第一側壁に設置される第一ラッチ部と、
前記第四側壁に設置され、ハードディスクドライブを封入するために前記第一ラッチ部を収容するように構成される第二ラッチ部と、
を備え、
前記第一側壁は前記第二側壁に回転可能に設置され、
前記第三側壁は、内方端に少なくとも１つの突出部を有するレバーを解放するように構成されるスライドラッチ部を有し、且つ
前記レバーは、前記キャリア装置の前記少なくとも１つの突出部を、前記キャリア装置が挿入されたシャーシに対応するベイ上の連結器に連結するように構成されることを特徴とする、工具不要な薄型ハードディスクドライブキャリア装置。
【請求項２】
前記スライドラッチ部が作動される時、前記レバーは二重ねじりばねの力を介して前記第三側壁から解放されるようにさらに構成されることを特徴とする、請求項１に記載のキャリア装置。
【請求項３】
前記レバーが作動される時、前記少なくとも１つの突出部が前記シャーシの切口に係合し、且つ前記キャリア装置は二重ねじりばねの力とその係合の力で前記連結器に連結するように構成されることを特徴とする、請求項１に記載のキャリア装置。
【請求項４】
前記ハードディスクドライブの前記キャリア装置への挿入、及び前記キャリア装置の前記ベイへの挿入は、工具不要であることを特徴とする、請求項１に記載のキャリア装置。
【請求項５】
前記第一側壁、前記第二側壁、前記第三側壁、前記第四側壁のうちの１つに沿って設置され、バックプレーンからの状態情報を表示する１つまたは複数のライトパイプを有するように構成されることを特徴とする、請求項１に記載のキャリア装置。
【請求項６】
前記第一側壁と、前記第二側壁と、前記第三側壁と、前記第四側壁とは、電磁干渉を遮断するまたは振動を吸収する材料で構成されることを特徴とする、請求項１に記載のキャリア装置。
【請求項７】
２ラックユニットシャーシであって、
複数のハードディスクドライブベイと、バックプレーンとを備え、
前記複数のベイは、それぞれ工具不要な薄型キャリア装置を垂直方向と水平方向の組み合わせた配列に連結する取付部を有し、
前記バックプレーンは、前記キャリア装置を収容可能なように構成される前記複数のベイに対応する複数の連結器を有し、
前記複数の連結器は、前記キャリア装置のレバーに係合してシャーシを前記バックプレーン内に駆動する支点となるように構成されることを特徴とする、２ラックユニットシャーシ。
【請求項８】
前記複数のベイは、垂直ベイおよび水平ベイのサブセットを含むことを特徴とする、請求項７に記載の２ラックユニットシャーシ。
【請求項９】
前記垂直ベイのサブセットは、８つのベイを有することを特徴とする、請求項８に記載の２ラックユニットシャーシ。
【請求項１０】
工具不要な薄型キャリア装置を有する２ラックユニットシャーシシステムであって、
複数のハードディスクドライブベイと、バックプレーンと、複数の工具不要な薄型キャリア装置と、
を備え、
前記バックプレーンは、前記複数のベイに対応する複数の連結器を有し、各ベイは、前記キャリア装置を収容可能なように構成され、
前記複数のキャリア装置は、それぞれ前記複数のキャリア装置の側壁を解放してハードディスクドライブを収容可能なように構成される第一ラッチ部と、
内方端に少なくとも１つの突出部を有するレバーを解放するように構成される第二ラッチ部を有し、
前記レバーは、前記キャリア装置の前記少なくとも１つの突出部を、前記キャリア装置が挿入された対応のベイの前記連結器に連結するように構成されることを特徴とする、工具不要な薄型キャリア装置を有する２ラックユニットシャーシシステム。
【発明の詳細な説明】
【技術分野】
【０００１】
本発明は一種の２ラックユニットシャーシとハードドライブキャリア装置に関する。具体的には、本発明の工具不要な薄型ハードディスクドライブキャリア装置は、垂直方向と水平方向のレイアウトを組み合わせた配列によって、２ラックユニットシャーシのハードドライブ搭載数を増やす。
【背景技術】
【０００２】
一般的なフルサイズのラックは４２Ｕのものであり、高さは約６フィートである。フルサイズのラックは、同じ方向に配列された約２１個の２Ｕシャーシを保有する。各２Ｕシャーシは２４〜２６個の２．５インチのハードディスクドライブを収容できる。図１は、ＨＤＤ垂直モードに設置された２Ｕシャーシを示す。ＨＤＤ垂直モード１００において、２Ｕシャーシ１０２は２４〜２６個のＨＤＤ１０４ａ、１０４ｂ、１０４ｃ…１０４ｎ（総称“１０４”）を収容するように構成される。各ＨＤＤ１０４は、シャーシ１０２のバックプレーンに連結するように構成されたＨＤＤキャリア装置に収容される。ＨＤＤキャリア装置のサイズは、２Ｕシャーシ１０２が収容できるドライブ数の制限要因となる。図２は、ＨＤＤ水平モードに設置された２Ｕシャーシを示す。ＨＤＤ水平モード１５０において、２Ｕシャーシ１０２は２５個のＨＤＤ１０４を収容するように構成される。
【発明の概要】
【発明が解決しようとする課題】
【０００３】
よって、一般的なフルサイズのラックは５０４〜５４６個のＨＤＤを収容できる２１個の２Ｕシャーシを備える。ＨＤＤシャーシの配置とＨＤＤキャリア装置のサイズとは、一般的なフルサイズラックと２ＵシャーシのＨＤＤ容量の制限要因となる。
【課題を解決するための手段】
【０００４】
本発明の付加的な特徴及び利点は、以下の記載で説明され、一部は当該説明から明らかであるか、又は本発明の実施により理解され得る。本発明の特徴及び利点は、特許請求の範囲に示される構造及び組合せによって実現及び達成される。本開示のこれらの特徴および他の特徴は、以下の説明および添付の特許請求の範囲からより完全に明らかになるか、または本明細書に記載された原理の実施によって知ることができる。
【０００５】
本発明は一種の工具不要な薄型ハードディスクキャリア装置を提供する。一部の実施形態では、工具不要な薄型ＨＤＤキャリア装置は、第一側壁と、第二側壁と、第三側壁と、第四側壁とを有し、第一側壁は第二側壁に回転可能に設置される。そのキャリア装置では、第一側壁に第一ラッチ部を設置し、第四側壁にハードディスクドライブを封入するために第一ラッチ部を収容するように構成される第二ラッチ部を設置し、第三側壁にスライドラッチ部を設置する。スライドラッチ部は、内方端に少なくとも１つの突出部を有するレバーを解放するように構成され、そのキャリア装置の少なくとも１つの突出部を、キャリア装置が挿入されたシャーシに対応するベイ上の連結器に連結するように構成される。
【０００６】
一部の実施形態では、スライドラッチ部が作動される時、レバーは二重ねじりばねの力を介して前壁から解放される。一部の実施形態では、レバーが作動される時、少なくとも１つの突出部がシャーシの切口に係合し、且つキャリア装置は二重ねじりばねの力とその係合の力でバックプレーンに連結する。
【０００７】
一部の実施形態では、ハードディスクドライブのキャリア装置への挿入、及びキャリア装置のベイへの挿入は、工具不要である。一部の実施形態では、そのキャリア装置は、２つの側壁のうちの１つに設置され、バックプレーンから状態情報を表示する１つまたは複数のライトパイプを含み、そして側壁は電磁干渉を遮断するまたは振動を吸収する材料で構成される。
【０００８】
また、本発明は一種の２ラックユニットシャーシを提供する。２ラックユニットシャーシは、複数のハードディスクドライブベイとバックプレーンとを備える。複数のベイは、各取付部を有し、工具不要な薄型キャリア装置を収容するように構成される。一部の実施形態では、ベイは垂直方向のベイと水平方向のベイのサブセットを有する。一部の実施形態では、垂直方向のベイのサブセットが８つのベイを有する。
【０００９】
また、本発明は一種の工具不要な薄型キャリア装置を有する２ラックユニットシャーシシステムを提供する。そのシステムは、複数のハードディスクドライブベイと、キャリア装置を収容可能なように構成される複数のベイに対応する複数の連結器を有するバックプレーンとを備え、そのベイは工具不要な薄型キャリア装置を収容するように構成される。そのキャリア装置は、それぞれ複数のキャリア装置の側壁を解放してハードディスクドライブを収容可能なように構成される第一ラッチ部と、内方端に少なくとも１つの突出部を有するレバーを解放するように構成される第二ラッチ部とを有する。そのレバーは、キャリア装置の少なくとも１つの突出部をキャリア装置が挿入された対応のベイの連結器に連結するように構成される。
【図面の簡単な説明】
【００１０】
本発明の特徴及び利点は、図面に示された具体的な実施形態によって明らかとなる。これらの図面は本発明の例示的な実施形態であり、本発明の範囲を限定するものと見なすべきではないことは理解されるべきである。本発明の原理は、添付の図面を使用して、その付加的の特徴および詳細と共に説明される。
【図１Ａ】従来技術の２Ｕシャーシ配置設計の正面図である。
【図１Ｂ】従来技術の２Ｕシャーシ配置設計の正面図である。
【図２Ａ】本技術の様々な実施形態を実施するための例示的な２Ｕシャーシ配置設計の正面図である。
【図２Ｂ】本技術の様々な実施形態を実施するための例示的な２Ｕシャーシ配置設計の正面図である。
【図３】図３は、本技術の様々な実施形態を実施するための工具不要な薄型キャリア装置を示す図である。
【図４Ａ】本技術の様々な実施形態を実施するために、２Ｕシャーシ内に垂直的に挿入された工具不要な薄型キャリア装置の一例を示す図である。
【図４Ｂ】本技術の様々な実施形態を実施するために、２Ｕシャーシ内に垂直的に挿入された工具不要な薄型キャリア装置の一例を示す図である。
【図４Ｃ】本技術の様々な実施形態を実施するために、２Ｕシャーシ内に水平的に挿入された工具不要な薄型キャリア装置の一例を示す図である。
【図４Ｄ】本技術の様々な実施形態を実施するために、２Ｕシャーシ内に水平的に挿入された工具不要な薄型キャリア装置の一例を示す図である。
【図５Ａ】本技術の様々な実施形態を実施するために、工具不要な薄型キャリア装置に設置されたレバー及びラッチ部の一例を示す図である。
【図５Ｂ】本技術の様々な実施形態を実施するために、工具不要な薄型キャリア装置に設置されたレバー及びラッチ部の一例を示す図である。
【発明を実施するための形態】
【００１１】
本開示の様々な実施形態を以下に詳細に説明する。また、特定の実施形態について説明しているが、説明のためにのみ使用されることを理解されたい。当業者であれば、本発明の趣旨および範囲から逸脱することなく他の構成要素および構成を使用できることを認識するであろう。
【００１２】
開示された技術は、サーバラックの２Ｕシャーシに対してより高いストレージの需要に応じる。現在の２ＵシャーシのＨＤＤ配置は垂直的（図１Ａを参照）または水平的（図２を参照）なものである。ここでの最適化された新たな配置は、各サーバラックにより高いストレージを提供することができる。現在のＨＤＤキャリア装置はかさばって、２Ｕシャーシ内において必要以上のスペースを占有する。最適化された配置と組み合わせた工具不要な薄型キャリア装置は、２Ｕシャーシに更なるＨＤＤの配置空間を提供することができる。
【００１３】
図２Ａと２Ｂに示されるのは、例示的な工具不要な薄型キャリア装置を使用する２Ｕシャーシ配置設計である。２Ｕシャーシ２００は、２８個のＨＤＤ２０４ａ、２０４ｂ、２０４ｃ、・・・、２０４ｎ（総称“２０４”）を収容できるように構成される。例えば、２Ｕシャーシ２００が８つの垂直的に配列したＨＤＤ２０４及び２０個水平的に配列したＨＤＤ２０４を有する。ＨＤＤ２０４のサブセットは水平サブセット２０６または垂直サブセット２０８に分かれる。例えば、図２Ａに示されるように、垂直サブセット２０８が２つのＨＤＤ２０４を有する。他の実施形態では、図２Ｂに示されるように、垂直サブセット２０８が一組のＨＤＤを有する。他の実施形態では、任意数量の垂直サブセット２０８が８つのＨＤＤ２０４を有するように構成できる。図２Ａ及び２Ｂに示されるように、水平サブセット２０６が５つのＨＤＤ２０４を有するように構成できる。また、他の垂直／水平配置の組み合わせも採用し得る。
【００１４】
図３に示されるのは、工具不要な薄型キャリア装置３１０（小さいフォームファクタ（ｓｍａｌｌ  ｆｏｒｍ  ｆａｃｔｏｒ（ＳＦＦ）キャリア装置、一般的には１４７ｍｍ（Ｌ）×１０１．６ｍｍ（Ｗ）サイズの３．５”ハードディスクドライブに使用される）に設置される前（３００）及び設置された後（３５０）のＨＤＤ２０４である。ＨＤＤ２０４は、オスラッチ部３１６をメスラッチ部３１８から解放することによってキャリア装置３１０に挿入される。オスラッチ部３１６を（メスラッチ部３１８から）解放することは、工具を使わなくても実行できる。オスラッチ部３１６は側壁３１２に連結され、メスラッチ部３１８は後壁３１４に連結（または組み立てられる）される。別の実施形態では、任意の側壁がオスまたはメスラッチ部を有することができる。多くの実施形態では、メスラッチ部が任意の側壁に設置され、後壁（または前壁）がオスラッチ部を有する。もう一つの実施形態では、前壁がオスまたはメスラッチ部両方を有する。ラッチ部は、工具不要な薄型キャリア装置にＨＤＤを解放可能に固定するための異なる機構を含むことができる（例えばカム錠、ラッチボルトなど）。
【００１５】
工具不要な薄型キャリア装置３１０はキャリア装置３１０の側壁内のペグ５３８（ｐｅｇ）を有することができる（図５を参照）。ペグ５３８はＨＤＤ２０４にある穴３１５に挿入することができる。ペグ５３８を介してＨＤＤ２０４がキャリア装置３１０に固定される。ペグ５３８はまた、ＨＤＤ２０４がキャリア装置の向きまたは重力の影響で不意に取り外されることを防止する。一部の実施形態では、そのキャリア装置の各内側壁に２つのペグがあって、ＨＤＤの各側壁に２つの穴がある。別の実施形態では、側壁により多くのまたは少ないペグを有し、ＨＤＤにより多くのまたは少ない穴を有することができる。
【００１６】
図４Ａ〜４Ｄは、工具不要な薄型キャリア装置が垂直的に２Ｕシャーシに設置される前（４００）または設置された後（４２５）、及び水平的に２Ｕシャーシに設置される前（４５０）または設置された後（４７５）を示す。工具不要な薄型キャリア装置３１０には、作動される時にレバー４２４を解放するラッチ部４３５（例えば、スライドラッチ）を有する。工具不要な薄型キャリア装置３１０はさらにフック４２２（例えば、突出部）を有する。フック４２２は、キャリア装置を設置する時にシャーシ（の切口４２６）に連結する。工具不要な薄型キャリア装置３１０はまた、二重ねじりばね５３２（図５Ａを参照）を有する。ラッチ部４３５が作動される時（例えばレバー４２４から離れる方向にスライドする）、二重ねじりばね５３２の力によってレバー４２４が解放される。
【００１７】
工具不要な薄型キャリア装置３１０がシャーシに挿入される時、フック４２２がシャーシの切口４２６に連結する事ができる。レバー４２４は、キャリア装置３１０に向けて推されることによって作動される。レバー４２４を推すと、二重ねじりばね５３２が圧縮され、フック４２２と切口４２６との連結から力を生成する。切口４２６とフック４２２と係合するところが支点となり、キャリア装置３１０に加えたレバー４２４を回転する力が後方向きの力に転換してＨＤＤ２０４の後連結器３２０（図３を参照）をバックプレーン４２８の連結器４３０に連結する。キャリア装置がシャーシに連結完了すると、レバー４２４はラッチ部４３５によってキャリア装置の前面と面一に保持される。
【００１８】
図５Ａと５Ｂに示されるのは、レバー４２４が解放される状態にある工具不要な薄型キャリア装置の細部図である。封入状態にある時、ラッチ部４３５はレバー４２４から離れる（例えば、滑り出すなど）ように作動され得る。ラッチ部４３５の作動は、取付部５３４を切り離すことによってレバー４２４を解放する。二重ねじりばね５３２の作動がレバー４２４をキャリア装置から押し出す。
【００１９】
キャリア装置３１０はまた、ストリップ５３６を含むことができる。ストリップ５３６はキャリア装置３１０の１つまたは両方の側壁３１２に沿って設置される。ストリップ５３６は任意のＨＤＤの電磁干渉遮断することができる材料（例えば、金属薄板（ｓｈｅｅｔ  ｍｅｔａｌ）、鋼、金属インキ、金属スクリーン、金属発泡材、銅、ニッケルなど）で構成される。側壁３１２はまた、ＨＤＤ、２Ｕシャーシ及びラックなどの振動を吸収することができる任意の材料（例えば、粘弾性高分子材料（ｖｉｓｃｏ−ｅｌａｓｔｉｃ  ｐｏｌｙｍｅｒ）、ポリウレタン（ｐｏｌｙｕｒｅｔｈａｎｅ）、プラスチック、ゴムなど弾力のある材料）で構成される。
【００２０】
側壁３１２は、さらに１つまたは複数のライトパイプ５４０を有することができる。ライトパイプ５４０はシャーシのバックプレーンからの光信号（例えば、発光ダイオードから）を受信し、その信号をキャリア装置３１０の前壁に転送する。その信号はＨＤＤの状態（例えば、作動中、位置決め、故障など）を表示する。
【００２１】
前述の実施形態は、理解を明確にするために詳細に記載されているが、上記の本発明の技術は、上記の説明に限定されない。上述の発明技術を実施する多くの代替方法が存在する。開示された実施形態は例示的なものであり、本発明を限定するためのものではない。
【符号の説明】
【００２２】
１００：垂直モード
１０２：２Ｕシャーシ
１０４ａ、１０４ｂ、１０４ｃ、１０４ｄ、１０４ｅ、１０４ｎ：ＨＤＤ
１５０：水平モード
２００：２Ｕシャーシ
２０４、２０４ａ、２０４ｂ、２０４ｃ、２０４ｄ、２０４ｅ、２０４ｎ：ＨＤＤ
２０６：水平サブセット
２０８：垂直サブセット
３００：ＨＤＤが工具不要な薄型キャリア装置に設置する前
４００：工具不要な薄型キャリア装置が垂直的に２Ｕシャーシに設置する前
４５０：工具不要な薄型キャリア装置が水平的に２Ｕシャーシに設置する前
３１０：キャリア装置
３１２：側壁
３１４：背壁
３１５：穴
３１６：オスラッチ部
３１８：メスラッチ部
３２０：後連結器
３５０：ＨＤＤが工具不要な薄型キャリア装置に設置する後
４２５：工具不要な薄型キャリア装置が垂直的に２Ｕシャーシに設置する後
４７５：工具不要な薄型キャリア装置が水平的に２Ｕシャーシに設置する後
４２２：フック
４２４：レバー
４２６：切口
４２８：バックプレーン
４３０：連結器
４３５：ラッチ部
５３２：二重ねじりばね
５３４：取付部
５３６：ストリップ
５３８：ペグ
５４０：ライトパイプ
【図１Ａ】
2017204318.tif 000003
【図１Ｂ】
2017204318.tif 000004
【図２Ａ】
2017204318.tif 000005
【図２Ｂ】
2017204318.tif 000006
【図３】
2017204318.tif 000007
【図４Ａ】
2017204318.tif 000008
【図４Ｂ】
2017204318.tif 000009
【図４Ｃ】
2017204318.tif 000010
【図４Ｄ】
2017204318.tif 000011
【図５Ａ】
2017204318.tif 000012
【図５Ｂ】
2017204318.tif 000013